(57)【要約】【課題】電話の発信者がバックグラウンドの音楽とともに音声、文字又は画像の形式で広告、音楽及びニュースを聞いたり見たりできる。【解決手段】電話呼をチェックし、発呼が検出されたときに商業情報発生装置／システムを発信又は着信通信システムと接続し、通信待機時において、元のリングバックトーンの代わりに、商業情報発生システムに商業情報を音声/文字/画像の形式で送出し始め、Ａ−タイムアウトの時間が経過した後、商業情報発生システムから着信電話機に対して接続を要求し、商業情報を発信電話機に対して送信しつづけ、着信電話機が接続要求を受理したか否かをチェックし、電話接続がなされているとき商業情報の提供を中止し、発信電話機と着信電話機との間で通信回線を接続し、通信終了のとき通信回線の接続を切断することを含む。【選択図】図１
2006254512.tif 000002
【特許請求の範囲】
【請求項１】
商業情報発生システムを備えた知能網を基盤とする有無線通信網における発信電話機にリングバックトーン（通話連結音）の代わりに商業情報を提供する方法であって、
前記発信電話機を発信交換機に接続し、前記発信交換機でＳＳＰから初期アドレスメッセージ（ＩＡＭ）を送出して接続要求をし、前記ＳＳＰからＳＣＰに情報分析を要求し、前記ＳＣＰから前記商業情報発生システムにリソース占有を要求し、前記商業情報発生システから前記ＳＣＰにリソース占有を応答し、前記ＳＣＰから前記ＳＳＰにリソース接続を要求し、前記ＳＳＰから前記商業情報発生システムに初期アドレスメッセージ（ＩＡＭ）を送出して接続を要求するステップと、
前記商業情報発生システムから前記ＳＳＰを介して前記発信交換システムにアドレス完了メッセージ（ＡＣＭ）を送出して接続を確認し、前記ＳＳＰから前記発信交換システムに応答メッセージ（ＡＮＭ）を送出して着信接続に応答するステップと、
前記商業情報発生システムから前記発信電話機に前記商業情報を送信するステップと、
前記発信電話機に前記商業情報を送信してから、所定の第１の時間（Ａ−タイムアウト）が経過した後、前記ＳＣＰから前記ＳＳＰに着信電話機接続を要求する場合、前記ＳＳＰから着信交換機に初期アドレスメッセージ（ＩＡＭ）を送出して接続を要求し、前記着信交換機から前記ＳＳＰにアドレス完了メッセージ（ＡＣＭ）を送出して接続を確認し、前記着信交換機によって前記着信電話機を鳴動させ、前記着信交換機から前記ＳＳＰにコールプログレスメッセージ（ＣＰＧ）を送信し、着信者が前記着信電話機を用いて呼を受信したとき、前記着信交換機から前記ＳＳＰに応答メッセージ（ＡＮＭ）を送出して着信接続に応答し、前記ＳＳＰから前記商業情報発生装置に切断メッセージ（ＲＥＬ）を送出して前記商業情報の送信を中止するステップと、
前記ＳＳＰから前記発信交換機に応答メッセージ（ＡＮＭ）を送出して着信接続に応答するステップと、
前記発信電話機と前記着信電話機との間に通話路を接続するステップと、
前記発信電話機の回線が切断されるときに、前記発信交換機から前記ＳＳＰに切断メッセージ（ＲＥＬ）を送出して切断を要求し、前記ＳＳＰから前記発信交換機に切断完了メッセージ（ＲＬＣ）を送出して切断を確認し、前記ＳＳＰから前記着信交換機に切断メッセージ（ＲＥＬ）を送信して切断を要求し、前記着信交換機から前記ＳＳＰに切断完了メッセージ（ＲＬＣ）を送出して切断を確認し、前記着信交換機から前記着信電話機を回線接続の切断を行うことにより通信を終了させるステップとを含むことを特徴とする方法。
【請求項２】
商業情報発生装置を備えたＩＰを含む知能網を基盤とする有無線通信網における発信電話機にリングバックトーン（通話連結音）の代わりに商業情報を提供する方法であって、
前記発信電話機を発信交換機に接続し、前記発信交換機からＳＳＰに初期アドレスメッセージ（ＩＡＭ）を送出して接続を要求し、前記ＳＳＰからＳＣＰに情報分析を要求し、前記ＳＣＰから前記ＩＰにリソース占有を要求し、前記ＩＰから前記ＳＣＰにリソース占有に応答し、前記ＳＣＰから前記ＳＳＰにリソース接続を要求し、前記ＳＳＰから前記ＩＰに初期アドレスメッセージ（ＩＡＭ）を送出して接続を要求するステップと、
前記ＩＰから前記ＳＳＰを介して前記発信交換機にアドレス完了メッセージ（ＡＣＭ）を送出して接続を確認し、前記ＳＳＰから前記発信交換機に応答メッセージ（ＡＮＭ）を送出して着信接続に応答するステップと、
前記ＩＰの前記商業情報発生装置から前記発信電話機に前記商業情報を送信するステップと、
前記発信電話機に前記商業情報を送信してから、所定の第１の時間（Ａ−タイムアウト）が経過した後、前記ＳＣＰから前記ＳＳＰに着信電話機接続を要求する場合、前記ＳＳＰから前記着信交換機に初期アドレスメッセージ（ＩＡＭ）を送出して接続を要求し、前記着信交換機から前記ＳＳＰにアドレス完了メッセージ（ＡＣＭ）を送出して接続を確認し、前記着信交換機によって前記着信電話機を鳴動させ、前記着信交換機から前記ＳＳＰにコールプログレスメッセージ（ＣＰＧ）を送信し、着信者が前記着信電話機を動作させたときに、前記着信交換機から前記ＳＳＰに応答メッセージ（ＡＮＭ）を送出して着信接続に応答し、前記ＳＳＰから前記ＩＰに切断メッセージを送出して前記商業情報の送信を中止するステップと、
前記発信電話機と前記着信電話機との間に通話路を接続するステップと、
前記発信電話機の回線が切断されたときに、前記発信交換機から前記ＳＳＰに切断メッセージ（ＲＥＬ）を送出して切断を要求し、前記ＳＳＰから前記発信交換機に切断完了メッセージ（ＲＬＣ）を送出して切断を確認し、前記ＳＳＰから前記着信交換機に切断メッセージ（ＲＥＬ）を送出して切断を要求し、前記着信交換機から前記ＳＳＰに切断完了メッセージ（ＲＬＣ）を送出して切断を確認し、前記着信交換機から前記着信電話機に回線接続の切断を行うことにより通信を終了させるステップとを含むことを特徴とする方法。
【請求項３】
前記着信交換機によって前記着信電話機を鳴動させ、所定の第２の時間（Ｂ−タイムアウト）が経過しても、前記着信電話機からの応答がないときに前記商業情報の送信を中止することを特徴とする請求項１又は２記載の方法。
【請求項４】
前記商業情報は、音声、文字、画像のうちの少なくとも１つの形式を含み、前記発信及び着信電話機は、通常の有線電話、ＣＤＭＡ、ＰＣＳ、ＴＤＭＡ、ＧＳＭ、ＡＭＰＳ及びＩＭＴ−２０００方式の携帯電話、画像電話、衛星電話、並びにインターネット電話を含み、前記着信電話機は自動応答電話機をさらに含み、前記商業情報は全ての加入者、又は予め登録された発信加入者又は特別番号を入力する任意の加入者が前記着信電話機に接続するときに提供することを特徴とする請求項１乃至３のうちのいずれか１つに記載の方法。
【請求項５】
前記商業情報は、広告、音楽、総合情報（ニュース、天気、スポーツ、総合株価、ユーモア、娯楽、その他の情報を含む。）、加入者情報（バイオリズム、占い、位置、芸能人情報、株式、料金、挨拶、その他の情報を含む。）、前記発信加入者の電話機に送信するリングバックトーン以外の全ての情報のうちの少なくともいずれか１つを含む情報であり、加入者の身元情報は性別、年齢別、地域別、時間帯別、所得別のうちの少なくともいずれか１つを含む方式に分類して選択的に音声、文字、画像のうちの少なくとも１つの形式で提供することを特徴とする請求項１乃至３のうちのいずれか１つに記載の方法。
【請求項６】
通常のリングバックトーンの送信の代わりに、前記商業情報を提供する方式は、発信電話機の通信待機中において前記商業情報を提供する方式、通信待機中において所定の回数のリングバックトーンを送信した後に前記商業情報を提供する方式、通信待機中において所定の時間の間前記商業情報を提供した後に前記リングバックトーンを送信する方式、通信待機中において所定の回数の前記リングバックトーンを送信した後に所定の時間の間前記商業情報を提供してから前記リングバックトーンを送信する方式、並びに、通信待機中においてリングバックトーンと前記商業情報を同時に提供する方式のうちのいずれか１つの方式であることを特徴とする請求項１乃至３のうちのいずれか１つに記載の方法。
【請求項７】
知能網を用いる有無線通信網における通常の有線電話と、ＣＤＭＡ、ＰＣＳ、ＴＤＭＡ、ＧＳＭ、ＡＭＰＳ及びＩＭＴ−２０００形式の携帯電話、画像電話機と、衛星電話、並びにインターネット電話のうちのいずれか１つを含む発信電話機にリングバックトーン（通話連結音）の代わりに商業情報を提供する通信システムであって、
前記知能網のＳＳＰとＳＣＰとは別に備えられて前記ＳＳＰと前記ＳＣＰに接続され、前記ＳＳＰと前記ＳＣＰとの制御により前記発信者電話機に広告、音楽、ニュース、天気、スポーツ、株式、ユーモア、娯楽、バイオリズム、占い、位置、芸能、料金情報のうちの少なくともいずれか１つを含む商業情報を提供する商業情報提供サーバと、
商業情報を効率的に提供するために加入者の身元情報を性別、年齢別、地域別、時間帯別、所得別のうちの少なくともいずれか１つを含む方式で区分して格納して提供する加入者の身元情報提供サーバとを含むことを特徴とする商業情報発生システム。
【請求項８】
前記知能網はＩＰをさらに含み、前記商業情報発生システムは前記ＩＰに接続して前記ＩＰの制御により前記発信電話機に前記商業情報を提供することを特徴とする請求項７に記載のシステム。
【発明の詳細な説明】
【技術分野】
【０００１】
本発明は、通信待機時において、広告、音楽、ニュースなどの商業情報を発生する方法及びシステムに関し、特に、電話発信者が、通常の電話機、移動体電話機（ＣＤＭＡ、ＰＣＳ、ＴＤＭＡ、ＧＳＭ、ＡＭＰＳ、ＩＭＴ−２０００方式）、画像電話機、衛星電話機、又はインターネット電話機を用いて、電話着信者又は自動応答応用システム（ＡＲＳ、ＶＭＳ、ＶＩＳＳ、ＰＰＳ）に対して発呼したとき、電話機を介して待機信号の音の代わりに、広告、音楽、ニュース情報などの種々の商業情報を音声、文字、画像の形式で発信者の電話機に提供することにより発信者が聞いたり見たりすることができる、通信待機時において、音声／文字／画像商業情報を発生するための方法及びシステムに関する。
【背景技術】
【０００２】
一般に、一般電話機や移動体電話機を用いる電話発信者が、特定の会社や加入者サービスセンターに電話をかけたときその商業広告を聞くことができる。これらの広告は、通信待機中において自然に流れてくるので非常に効果的であった。従来技術では、通信待機中において、“今しばらくお待ち下さい”、“別の電話に出ています”のようなメッセージが繰り返し発信者の電話機に対して発生されていた。最近、いくつかの移動体電話のための特定サービスシステムは、発信者の電話機に対して音声形式の広告を提供している。
【０００３】
ユーザが電話呼を発呼したとき、ユーザは、待機中信号音又は、ある特定のサービスによって情報が提供される繰り返し音声の代わりに、複数の広告を提供される場合があり、いやな状態をリラックスさせたり、また、電話料金の割引を得ることができる。
【０００４】
最近、薬局又はレストランにおいて、顧客に対して無料通話サービスを提供している。この無料通話サービスでは、１０ないし１５秒の間、広告を聞くだけで顧客は無料の通話を行うことができる。
【０００５】
しかしながら、上記従来の電話通話サービスにおいては、ユーザがまず広告の会社に対してダイヤルして広告を聞き、発呼したい電話番号を入力する必要がある。従って、時間を浪費したり不便な態様を生じさせるという問題点があった。
【０００６】
【特許文献１】特開平１０−２７１２２６号公報。
【特許文献２】特開平９−１６２９７８号公報。
【特許文献３】特開平５−２６０１８５号公報。
【発明の開示】
【発明が解決しようとする課題】
【０００７】
本発明の目的は、上述の問題点を解決し、電話の発信者がバックグラウンドの音楽とともに音声、文字又は画像の形式で広告、音楽及びニュースを聞いたり見たりすることができ、商業の会社が商業情報を提供することにより利益を発生させることができ、広告会社は広告の生産性を最大にすることができる、音声／文字／画像の商業情報を発生するための方法を提供することにある。
【０００８】
本発明のもう一つの目的は上記方法を実行するために、通信待機中における情報発生システムを提供することにある。
【課題を解決するための手段】
【０００９】
上記の第１の目的を達成するために、加入者の発信電話機から着信側（加入者の着信電話機又は着信通信システム）への発呼が完了した後、着信側が受信するまでの通信待機中において、リングバックトーンの代わりに、発信電話機への商業情報の伝送を実行する呼プロセス機能を含む通信システムを用いて音声／文字／画像商業情報リングバックトーンを発生する方法であって、
電話呼をチェックし（Ｓ１）、上記呼が検出されたとき発信又は着信通信システムにおける情報発生装置（以下、商業情報リングバックトーン発生システム／装置という。）と接続し（Ｓ２）、通信待機中において、音声、文字及び／又は画像の少なくとも１つの形式で商業情報リングバックトーン発生システムから発信側電話機に対して商業情報を送出し始め（Ｓ３）、所定の第１の時間（Ａ−タイムアウト）が経過した後、上記商業情報リングバックトーン発生システムから着信電話機に対して接続を要求し（Ｓ４）、上記発信電話機に対して上記商業情報を送出しつづける（Ｓ５）ステップと、
上記着信電話機が上記接続要求を受理したか否かをチェックし（Ｓ６）、上記接続要求が受理されなかったときに商業情報リングバックトーンが提供されてから所定の第２の時間（Ｂ−タイムアウト）が経過したか否かをチェックし（Ｓ１１）、上記第２の時間以内に電話接続を失敗したか否かをチェックし（Ｓ１４）、上記電話接続を失敗しなかったときに上記発信電話機に対して上記商業情報リングバックトーンを提供しつづける（Ｓ５）ステップと、
ステップＳ６において上記電話接続がなされたとき上記商業情報リングバックトーンの提供を中止し（Ｓ７）、上記発信電話機と上記着信電話機との間に通信回線を接続し（Ｓ８）、上記通信が終了したか否かをチェックし（Ｓ９）、上記通信が終了したとき上記通信回線の接続を切断する（Ｓ１０）ステップと、
上記ステップＳ１１において上記接続要求から所定の第２の時間（Ｂ−タイムアウト）が経過したとき上記商業情報リングバックトーンの送出を中止し（Ｓ１２）、発信交換システムと着信交換システムとの間に中継回線を接続する（Ｓ１３）ステップと、
上記接続要求を失敗したとき上記商業情報リングバックトーンの送出を中止し（Ｓ１５）、上記発信交換機と上記着信交換機との間の中継回線を解放し（Ｓ１６）、次の接続要求があったか否かをチェックし（Ｓ１７）、上記商業情報リングバックトーン発生システムから上記発信電話機に対して上記商業情報を送出し始める（Ｓ３）ステップとを含むことを特徴とする方法が提供される。
【００１０】
上記方法はさらに、上記ステップＳ４において所定の第１の時間（Ａ−タイムアウト）が経過した後、上記着信電話機に対して接続を要求し、リングバックトーン聴取モードが設定されたとき、上記商業情報リングバックトーンの送出を中止し、上記発信電話機に対して元のリングバックトーンを送出し始め、上記着信電話機が上記要求を受理したか否かをチェックし（Ｓ１９）、上記要求が受理されたときに上記リングバックトーン又は上記案内メッセージの提供を中止し（Ｓ２０）、上記発信電話機と上記着信電話機との間に通信回線を接続し（Ｓ２１）、上記通信が終了したか否かをチェックし（Ｓ２２）、上記発信電話機と上記着信電話機との間の通信回線の接続を切断する（Ｓ２３）ステップを含む。
【００１１】
上記の第２の目的を達成するため、通常の電話機と、移動体電話機（ＣＤＭＡ、ＰＣＳ、ＴＤＭＡ、ＧＳＭ、ＡＭＰＳ、ＩＭＴ−２０００形式など）と、画像電話機と、衛星電話機と、インターネット電話機等を含む、発信電話機と、着信電話機と、加入者の通信回線と、交換システムの間に位置する中継通信回線とを含む通信システムを含む情報発生装置が提供され、上記装置は
広告、音楽、総合情報(ニュース、天気、スポーツ、株価情報、ユーモア、娯楽など)、加入者情報(バイオリズム、占い、位置、芸能情報、株式、料金など)を含む商業情報を提供するための商業情報提供サーバと、
交換システム内に提供され、加入者通信回線を介して通信待機中において商業情報サーバから発信電話機に対して音声、文字又は画像の形式で商業情報リングバックトーンを提供するための音声／文字／画像／商業情報リングバックトーン発生装置と、
交換システムの外側に提供され、中継通信回線及び加入者通信回線を介して通信待機中において商業情報サーバから発信電話機に対して音声、文字又は画像の形式で商業情報リングバックトーンを提供するための音声／文字／画像／商業情報リングバックトーン発生システムと、
地域別、年齢別、性別、時間帯別の基準で区分して加入者の身元情報を提供するための加入者の身元情報サーバとを備え、
上記商業情報リングバックトーンは上記加入者の身元情報に依存して提供される。
【発明の効果】
【００１２】
上述したように、本発明に係る商業情報リングバックトーンの発生方法（リングバックサービス）及び装置は、通常のリングバックトーンの代わりに、発信者に対する通信の待機中において広告、音楽、ニュース、株式情報などの商業情報を提供することができ、これにより、加入者に対して、つまらない状態をリラックスさせ、通信料金を節約させ、音声、文字又は画像の形式で商業情報を聞かせることができるとともに、通信会社は通話料金の外に、商業情報提供に伴う利益を発生させ、上記通信の失敗時にも通信料金を得ることができ、広告主側では広告の効果を最大化することができる。
【発明を実施するための最良の形態】
【００１３】
以下、本発明に係る好ましい実施形態について添付の図面を参照して説明する。
【００１４】
図１を参照すると、図１は、音声／文字／画像の商業情報（広告、音楽、ニュース、株式、天気情報等）を有する電話リングバックトーンでサービスを提供するシステム構成図であり、上記システムは、一般電話機、画像電話機、移動体電話機、衛星電話機、インターネット電話機を含む発信電話機１と、着信電話機４と、交換システム内の加入者通信回線２と音声／文字／画像商業情報リングバックトーン発生装置３と、中継通信回線５と、音声／文字／画像商業情報リングバックトーン発生システム６と、商業情報提供サーバ７と、加入者の身元情報提供サーバ８と、電話局内の交換システム９とを含む。
【００１５】
発信者が上記発信電話機１を用いて発呼すると、通信待機時間中において、広告、音楽、総合情報（ニュース、天気、スポーツ、株式評価、ユーモア、娯楽）及び加入者の身元情報（バイオリズム、占い、位置、芸能情報、株式、料金など）などを提供する商業情報提供サーバ７により、交換システムの外側に設けられた上記音声／文字／画像商業情報リングバックトーン発信システム６、又は交換システム内に設けられた上記音声／文字／画像商業情報リングバックトーン発生装置３を介して、上記発信電話機１に対して音声、文字又は画像の形式で広告、音楽、ニュースなどの商業情報が提供される。
【００１６】
上記交換システム内に設けられた上記リングバックトーン発生装置３又は上記リングバックトーン発生システム６は、広告主、放送局、又は証券会社などの商業情報提供者の依頼により、音声、音楽、文字、又は画像の形式で商業情報を格納する。発信電話機１から発呼されたとき、通信待機中において、上記商業情報が、上記商業情報リングバックトーン発生装置３又は商業情報リングバックトーン発生システム６から加入者通信回線２を介して、上記商業情報が発信電話機１に提供される。
【００１７】
図２は本発明に係る通信待機時において、音声／文字／画像の商業情報を提供するための方法を示したフローチャートである。
【００１８】
この方法は、電話呼をチェックし（Ｓ１）、発呼が検出されると発信又は着信通信システムにおける情報発生装置（以下、“商業情報リングバックトーン発生システム／装置）と接続し（Ｓ２）、通信待機中において、発信電話機へ元のリングバックトーンの代わりに、上記商業情報リングバックトーン発生システムから、例えば、広告、音楽、ニュース、天気、スポーツ、株式評価、ユーモア、バイオリズム、占い、芸能情報、位置、料金などの商業情報を、音声、又は文字、又は画像、又は音声及び文字、又は音声及び画像、又は文字及び画像、又は音声及び文字並びに画像で組み合わされた少なくとも１つの形式で送出し始め（Ｓ３）、所定の第１の時間（Ａ−タイムアウト）が経過した後に、上記商業情報リングバックトーンシステムから着信電話機への接続を要求し（Ｓ４）、上記商業情報を上記発信電話機に対して継続的に送信する（Ｓ５）ステップを含む。
【００１９】
この方法はさらに、着信電話機が接続要求を受理したか否かをチェックして（Ｓ６）、もし接続要求が受理されていないとき上記商業情報リングバックトーンが発生されたときから、所定の第２の時間（Ｂ−タイムアウト）が経過したか否かをチェックし（Ｓ１１）、もし第２の時間内であれば電話接続に失敗したか否かをチェックし（Ｓ１４）、電話接続に失敗していなければ続けて上記発信電話機に対して商業情報リングバックトーンを提供する（Ｓ５）ステップを含む。
【００２０】
この方法はさらに、もしステップＳ６において電話接続がなされると上記商業情報リングバックトーンの送出を中止し（Ｓ７）、上記発信電話機と上記着信電話機との間の通信回線を接続し（Ｓ８）、上記通信が終了したか否かをチェックし（Ｓ９）、もし通信が終了しているとき上記発信電話機と上記着信電話機との間の通信回線を切断する（Ｓ１０）ステップを含む。
【００２１】
この方法はさらに、ステップＳ１１において上記接続要求を始めてから所定の第２の時間（Ｂ−タイムアウト）が経過した後、上記商業情報リングバックトーンの送出を中止し（Ｓ１２）、発信交換システムと着信交換システムとの間に中継回線を接続する（Ｓ１３）ステップを含む。
【００２２】
この方法はさらに、もし上記電話接続を失敗すると上記商業情報リングバックトーンの送出を中止し（Ｓ１５）、上記発信交換システムと上記着信交換システムとの間の中継回線を切断し（Ｓ１６）、次の接続要求があるか否かをチェックし（Ｓ１７）、上記商業情報リングバックトーン発生システムから商業情報を上記発信電話機に送出し始める（Ｓ３）ステップを含む。
【００２３】
図３を参照すると、リングバックトーンの聴取モードに設定されているとき、この方法はさらに、上記ステップＳ４で所定の第１の時間（Ａ−タイムアウト）が経過した後、着信電話機への接続を要求し、商業情報リングバックトーンの送出を中止し、元のリングバックトーンを発信電話機に送出し（Ｓ１８）、着信電話機が要求を受理したか否かをチェックし（Ｓ１９）、上記要求が受理されたならば上記リングバックトーンの送出を中止し（Ｓ２０）、上記発信電話機と上記着信電話機との間に通信回線を接続し（Ｓ２１）、上記通信が終了したか否かをチェックし（Ｓ２２）、上記発信電話機と上記着信電話機との間の通信回線を切断する（Ｓ２３）ステップを含む。
【００２４】
図４は、発信交換システムにおいて商業情報リングバックトーン発生システムを用いたシステム間の接続構成図である。上記発信交換システムは、交換機、ＰＡＢＸ及び他の交換機を含む。
【００２５】
図５ａは本発明の第１の実施形態に係る、発信交換システムにおいて商業情報リングバックトーン発生システムを市外交換局として用いた商業情報リングバックトーン発生手順を示す図である。
【００２６】
上記第１の実施形態は、上記発信電話機が上記発信交換機に対して発呼するとき（１）、上記発信交換システムから初期アドレスメッセージ（ＩＡＭ）を送出することにより上記商業情報リングバックトーン発生システムへの接続を要求し（２）、上記発信交換システムに対してアドレス完了メッセージ（ＡＣＭ）を送出することにより、上記商業情報リングバックトーン発生システムから上記接続を確認し（３）、有料のリングバックトーン方式のとき、上記商業情報リングバックトーン発生システムから上記発信交換機へ応答メッセージ（ＡＮＭ）を送出することにより着信接続に応答し（３−１）、上記商業情報リングバックトーン発生システムから上記発信電話機に商業情報リングバックトーン（広告、音楽、ニュース、株式、天気、占い等）を送出し、所定第２の時間（Ｂ−タイムアウト）が経過した後、上記通信接続を失敗したとき、上記商業情報リングバックトーンの送出を中止する（４）ステップを含む。
【００２７】
この方法はさらに、上記商業情報の送出の開始から所定の第１の時間（Ａ−タイムアウト）が経過した後、初期アドレスメッセージ（ＩＡＭ）を送出することにより上記商業情報リングバックトーン発生システムから着信交換システムに対して着信電話機のための接続を要求し（５）、上記商業情報リングバックトーン発生システムにアドレス完了メッセージ（ＡＣＭ）を送出することにより上記着信交換システムからの接続を確認し（６）、上記着信交換システムから上記着信電話機を鳴動させ（７）、上記着信交換システムから上記商業情報リングバックトーン発生システムに対してコールプログレスメッセージ（ＣＰＧ）を送出し（８）、着信者が着信電話機において呼を受信したとき（１０）応答メッセージ（ＡＮＭ）を送出することにより上記着信交換システムから上記商業情報リングバックトーン発生システムに対して着信電話機の接続を応答し（９）、無料のリングバックトーン方式のとき、上記商業情報リングバックトーンの送出を中止し、応答メッセージ（ＡＮＭ）を送出することにより上記商業情報リングバックトーン発生システムから上記発信交換システムに対して上記着信電話機の接続を応答し（１１）、有料のリングバックトーン方式のときに上記商業情報リングバックトーン発生システムから上記発信交換システムに対する上記商業情報リングバックトーンの送出を中止する（１１−１）ステップを含む。
【００２８】
この方法はさらに、上記発信電話機と上記着信電話機との間に通信回線を接続する（１２）ステップを含む。
【００２９】
この方法はさらに、上記発信者が回線接続を切断するとき、切断メッセージ（ＲＥＬ）を送出することにより上記発信交換システムから上記商業情報リングバックトーン発生システムとの回線接続の切断を要求し（１４）、切断完了メッセージ（ＲＬＣ）を送出することにより上記商業情報リングバックトーン発生システムから上記発信交換システムへの回線接続の切断を確認し（１５）、切断メッセージ（ＲＥＬ）を送出することにより上記商業情報リングバックトーン発生システムから上記着信交換システムへの回線接続の切断を要求し（１６）、切断完了メッセージ（ＲＬＣ）を送出することにより上記着信交換システムから上記商業情報リングバックトーン発生システムへの回線接続の切断を確認し（１７）、上記着信交換システムから上記着信電話機との回線接続を切断することにより上記通信を終了させる（１８）ステップを含む。
【００３０】
図５ｂは本発明の第１の実施形態に係る、発信交換システムにおいて商業情報リングバックトーン発生システムを端局として用いる商業情報リングバックトーンを発生するための手順を示す図である。
【００３１】
この方法はさらに、上記発信電話機が上記発信交換システムに発呼するときに（１−１）、上記商業情報リングバックトーン発生システムから初期アドレスメッセージ（ＩＡＭ）を送出することによって上記商業情報リングバックトーン発生システムに対する接続を要求し（２−１）、アドレス完了メッセージ（ＡＣＭ）を上記発信交換システムに対して送出することにより上記商業情報リングバックトーン発生システムからの接続を確認し（３−１）、有料のリングバックトーン方式のときに応答メッセージ（ＡＮＭ）を送出することにより上記商業情報リングバックトーン発生システムから上記発信交換システムに対して着信接続に応答する（３−２）ステップを含む。
【００３２】
この方法はさらに、上記商業情報リングバックトーン発生システムから上記発信電話機に上記商業情報リングバックトーン（広告、音楽、ニュース、株式、天気、占い等）を送出し、所定の第２の時間（Ｂ−タイムアウト）が経過した後、上記接続を失敗するとき、上記商業情報リングバックトーンの送出を中止する（４−１）ステップを含む。
【００３３】
この方法はさらに、上記商業情報の送出の開始から所定の第１の時間（Ａ−タイムアウト）が経過した後（５−１）、初期アドレスメッセージ（ＩＡＭ）を送出することにより上記商業情報リングバックトーン発生システムから着信交換システムへの着信電話機のための接続を要求し、アドレス完了メッセージ（ＡＣＭ）を上記発信交換システムに送出することにより上記着信交換システムからの接続を確認し（６−１）、上記着信交換システムから着信電話機を鳴動させ（７−１）、上記着信交換システムから上記発信交換システムに対してコールプログレスメッセージ（ＣＰＧ）を送信する（８−１）ステップを含む。着信者が上記着信電話機を用いて呼を受信したとき（９−１）、着信接続は、応答メッセージ（ＡＮＭ）を送出することにより上記着信交換システムから上記発信交換システムに対して着信電話機の接続を応答し（１０−１）、切断メッセージを上記商業情報リングバックトーン発生システムに送出することにより上記発信交換システムから商業情報リングバックトーンの中止を要求する（１１−２）ことにより実行される。
【００３４】
この方法はさらに、切断完了メッセージ（ＲＬＣ）を送出することにより商業情報リングバックトーン発生システムから上記発信交換システムに対して切断を確認し（１１−３）、上記発信電話機と着信電話機との間に上記発信交換システムと上記着信交換システムを介して通信回線を接続する（１２−１）ステップを含む。
【００３５】
発信者が上記通信の回線を切断するとき（１３−１）、この方法はさらに、切断メッセージ（ＲＥＬ）を送出することにより上記発信交換システムから上記着信交換システムへの回線接続の切断を要求し（１４−１）、切断完了メッセージ（ＲＬＣ）を送出することにより上記着信交換システムから上記発信交換システムへの回線接続の切断を確認し（１５−１）、上記着信電話機を上記着信交換システムから回線接続を切断することにより上記通信を終了させる（１６−１）ステップを含む。
【００３６】
図６は、上記発信交換システムにおける商業情報リングバックトーン発生装置を用いたシステム間の接続を示す構成図である。
【００３７】
図７は、本発明の第２の実施形態に係る、発信交換システムの商業情報リングバックトーン発生装置を用いた商業情報リングバックトーンを発生するための手順を示す図である。
【００３８】
第２の実施形態は、上記発信交換システムに対して発信電話機から発呼し（２１）、上記発信交換システムから上記商業情報リングバックトーン発生システムへの接続を要求し（２２）、上記商業情報リングバックトーン発生装置から上記発信交換システムへの接続を応答する（２３）ステップを含む。
【００３９】
この方法はさらに、上記商業情報リングバックトーン発生装置から上記着信電話機に対して商業情報リングバックトーンを送信し、第２の時間（Ｂ−タイムアウト）が経過した後上記接続を失敗したとき、上記商業情報リングバックトーンの送出を中止する（２４）ステップを含む。
【００４０】
この方法はさらに、上記商業情報リングバックトーンの送出の開始から所定の第１の時間（Ａ−タイムアウト）が経過した後、上記発信交換システム（２５）から初期アドレスメッセージ（ＩＡＭ）を送出することにより上記着信交換システムへの接続を要求し、上記着信交換システムからアドレス完了メッセージ（ＡＣＭ）を送出することにより上記発信交換システムへの接続を確認し（２６）、上記着信交換システムから着信電話機を鳴動させ（２７）、上記商業情報リングバックトーン発生システムから上記発信交換システムに対してコールプログレスメッセージ（ＣＰＧ）を送信し（２８）、着信者が上記着信電話機を用いて呼を受信したとき（２９）上記着信交換システムから応答メッセージ（ＡＮＭ）を送出することにより上記発信交換システムへの着信接続に応答し（３０）、上記発信交換システムから商業情報リングバックトーン発生装置に対する商業情報リングバックトーンの切断を要求する（３１）ステップを含む。
【００４１】
この方法はさらに、上記発信電話機と上記着信電話機との間に通信回線を接続する（３２）ステップを含む。
【００４２】
この方法はさらに、上記発信電話機が上記発信交換機から回線切断されると（３３）、切断メッセージ（ＲＥＬ）を送出することにより上記発信交換システムから上記着信交換システムへの切断を要求し（３４）、切断完了メッセージ（ＲＬＣ）を送出することにより上記着信交換機から上記発信交換機への切断を確認し（３５）、上記着信交換機から上記着信電話機への回線接続を切断することにより上記通信を終了させる（３６）ステップを含む。
【００４３】
図８は、上記着信交換システムにおいて商業情報リングバックトーンシステムを用いたシステム間の接続を示す図である。この着信交換システムは、交換機、ＰＡＢＸ及び他の交換機を含む。
【００４４】
図９ａは本発明の第３の実施形態に係る、上記商業情報リングバックトーン発生システムを着信交換システムの外側に設けられた市外交換局として用いた場合において商業情報リングバックトーンを発生するための手順を示す図である。
【００４５】
第３の実施形態は、発信交換システムに対して発信電話機から発呼し（４１）、発信交換システムから初期アドレスメッセージ（ＩＡＭ）を送出することにより着信交換システムへの接続を要求し（４２）、上記着信交換システムから初期アドレスメッセージ（ＩＡＭ）を送出することにより上記商業情報リングバックトーン発生システムへの接続を要求し（４３）、アドレス完了メッセージ（ＡＣＭ）を送出することにより上記商業情報リングバックトーン発生装置から上記着信交換システムへの接続を確認し（４４）、上記着信交換システムからＡＣＭを送出することにより上記発信交換システムへの接続を確認し（４５）、応答メッセージ（ＡＮＭ）を送出することにより商業情報リングバックトーン発生システムから上記着信交換システムへの接続を応答し（４５−１）、応答メッセージ（ＡＮＭ）を送出することにより上記着信交換システムから上記発信交換システムへの接続を応答する（４５−２）ステップを含む。
【００４６】
この方法はさらに、上記商業情報リングバックトーン発生システムから上記発信電話機へ商業情報リングバックトーンを送出し、所定のＢ−タイムアウト時間が経過した後、上記接続を失敗したときに、上記商業情報リングバックトーンの送出を中止する（４６）ステップを含む。
【００４７】
この方法はさらに、上記商業情報リングバックトーンの送出の開始から、所定の第１の時間（Ａ−タイムアウト）が経過した後、商業情報リングバックトーン発生システムから初期アドレスメッセージ（ＩＡＭ）を送出することにより上記着信交換システムへの接続を要求し（４７）、上記着信交換システムからアドレス完了メッセージ（ＡＣＭ）を送出することにより上記商業情報リングバックトーン発生システムへの接続を確認し（４８）、上記着信交換システムから上記着信電話機を鳴動させ（４９）、上記着信交換システムから上記商業情報リングバックトーン発生システムに対してコールプログレスメッセージ（ＣＰＧ）を送出し（５０）、着信者が上記着信電話機を用いて呼を受信したとき（５２）上記着信交換システムから応答メッセージ（ＡＮＭ）を送出することにより上記商業情報リングバックトーン発生システムへの着信接続に応答する（５２）ステップを含む。この方法はさらに、商業情報リングバックトーン発生システムから上記発信交換システムへの商業情報リングバックトーンを中止し、無料のリングバックトーン方式のときに、応答メッセージ（ＡＮＭ）を送出することにより接続を応答し（５３）、有料のリングバックトーン方式のときに、上記商業情報リングバックトーン発生システムから上記発信交換システムへの商業情報リングバックトーンを中止する（５３−１）ステップを含む。
【００４８】
この方式はさらに、上記発信電話機と上記着信電話機との間に通信回線を接続する（５４）を含む。
【００４９】
この方法はさらに、上記着信電話機が上記発信交換システムから回線接続を切断したとき（５５）、切断メッセージ（ＲＥＬ）を送出することにより上記発信交換システムから上記商業情報リングバックトーン発生システムへの商業情報リングバックトーンの切断（５６）を要求し、切断完了メッセージ（ＲＬＣ）を送出することにより上記商業情報リングバックトーン発生システムから上記発信交換システムへの切断を確認する（５７）ステップを含む。
【００５０】
この方法はさらに、切断メッセージ（ＲＥＬ）を送出することにより上記商業情報リングバックトーン発生システムから上記着信交換システムへの切断を要求し（５８）、切断完了メッセージ（ＲＬＣ）を送出することにより上記着信交換システムから上記商業情報リングバックトーン発生システムへの切断を確認し（５９）、上記着信交換システムから上記着信電話機との回線接続を切断することにより上記通信を終了させる（６０）ステップを含む。
【００５１】
図９ｂは、本発明の第３の実施形態に係る、上記商業情報リングバックトーン発生システムを上記着信交換システムの外側に設けられた端局として用いる場合において商業情報リングバックトーンを発生する手順を示す図である。
【００５２】
この方法はさらに、上記発信電話機を用いることによって上記発信交換システムに対して発呼し（４１−１）、上記発信交換機から初期アドレスメッセージ（ＩＡＭ）を送出することにより上記着信交換システムへの接続を要求し（４２−１）、上記着信交換システムから初期アドレスメッセージ（ＩＡＭ）を送出することにより上記商業情報リングバックトーン発生システムへの接続を要求し（４３−１）、アドレス完了メッセージ（ＡＣＭ）を送出することにより上記商業情報リングバックトーン発生システムから上記着信交換システムへの接続を確認し（４４−１）、アドレス完了メッセージ（ＡＣＭ）を送出することにより上記着信交換システムから上記着信電話機への接続を確認する（４５−３）ステップを含む。
【００５３】
この方法はさらに、有料のリングバックトーン方式のときに、応答メッセージ（ＡＮＭ）を送出することにより上記商業情報リングバックトーン発生システムから上記着信交換機への着信接続に応答し（４５−４）、応答メッセージ（ＡＮＭ）を送出することにより上記着信交換システムから上記発信交換システムへの着信接続応答をする（４５−５）ステップを含む。
【００５４】
この方法はさらに、上記商業情報リングバックトーン発生システムから上記発信電話機へ上記商業情報リングバックトーンを送信し、所定のＢ−タイムアウトの時間が経過した後、上記通信を失敗したとき、上記商業情報リングバックトーンの送出を中止する（４６−１）ステップを含む。
【００５５】
この方法はさらに、上記商業情報リングバックトーンの送出の開始から所定の第１の時間（Ａ−タイムアウト）が経過した後、上記着信電話機を鳴動させ（４７−１）着信者が上記着信電話機を用いて呼を受信したとき（４８−１）、切断メッセージ（ＲＥＬ）を送出することにより上記着信交換機から上記商業情報リングバックトーン発生システムへの商業情報リングバックトーンの切断を要求し、その中止を要求する（４９−１）ステップを含む。
【００５６】
この方法はさらに、上記商業情報リングバックトーン発生システムから切断完了メッセージ（ＲＬＣ）を送出することにより上記着信交換システムに対して切断を要求し（５０−１）、無料のリングバックトーン方式のときに、上記着信交換機から応答メッセージ（ＡＮＭ）を送出することにより上記発信交換システムへの着信接続に応答する（５１−１）ステップを含む。
【００５７】
この方法はさらに、上記発信電話機と上記着信電話機との間に通信回線を接続する（５２−１）ステップを含む。
【００５８】
この方法はさらに、上記発信電話機が上記発信交換システムからの回線切断されるとき（５３−２）、切断メッセージ（ＲＥＬ）を送出することにより上記発信交換システムから上記着信交換システムに対して切断を要求し（５４−１）、切断完了メッセージ（ＲＬＣ）を送出することにより上記着信交換システムから上記発信交換システムへの回線の切断を確認し（５５−１）、上記着信交換システムから上記着信電話機への回線接続を切断することにより上記通信を終了させる（５６−１）ステップを含む。
【００５９】
図１０は、上記着信交換システムの商業情報リングバックトーン発生装置を用いたシステム間の接続を示す構成図である。
【００６０】
図１１は、本発明の第４の実施形態に係る、着信交換システムの商業情報リングバックトーン発生システムを用いた場合における商業情報リングバックトーンを発生するための手順を示す図である。
【００６１】
第４の実施形態は、上記発信電話機を用いて上記発信交換システムに発呼し（６１）、上記発信交換システムから初期アドレスメッセージを送出することにより上記着信交換システムへの接続を要求し（６２）、上記着信交換システムからアドレス完了メッセージ（ＡＣＭ）を送出することにより上記発信交換システムへの接続を確認し（６３）、上記着信交換システムから上記商業情報リングバックトーン発生装置への接続を要求し（６４）、上記商業情報リングバックトーン発生装置から上記着信交換機に対する接続を応答し（６５）、有料のリングバックトーン方式のときに、応答メッセージ（ＡＮＭ）を送出することにより上記着信交換システムから上記発信交換システムへの接続を応答する（６５−１）ステップを含む。
【００６２】
この方法はさらに、上記着信交換システムにおける上記商業情報リングバックトーン発生システムから上記発信電話機に対する上記商業情報リングバックトーンを送出する（６６）ステップを含む。
【００６３】
この方法はさらに、上記商業情報リングバックトーンの送出の開始から、所定の第１の時間（Ａ−タイムアウト）が経過した後、上記着信電話機を鳴動させた（６７）とき、上記着信交換システムから上記発信交換システムに対してコールプログレスメッセージ（ＣＰＧ）を送出し（６８）、着信者が上記着信電話機を用いて呼を受信したとき（６９）、上記着信交換システムから上記商業情報リングバックトーン発生装置に対して商業情報リングバックトーンの送出の中止を要求する（７０）ステップを含む。この方法はさらに、無料のリングバックトーン方式のときに、応答メッセージ（ＡＮＭ）を送信することにより上記着信交換システムから上記発信交換システムへの着信接続に応答する（７０−１）ステップをさらに含む。
【００６４】
この方法はさらに、上記発信電話機と上記着信電話機との間に通信回線を接続し（７１）、上記発信電話機が上記発信交換システムから回線切断されると（７２）、切断メッセージ（ＲＥＬ）を送出することにより上記発信交換システムから上記着信交換システムに対して切断の要求をし（７３）、切断完了メッセージ（ＲＬＣ）を送出することにより上記着信交換システムから上記発信交換システムへの切断を確認し（７４）、上記着信交換機から上記着信電話機に対して回線接続を切断することにより上記通信を終了させる（７５）ステップを含む。
【００６５】
図１２は、商業情報案内放送発生システムを用いたシステム間の接続を示す構成図である。
【００６６】
図１３は、本発明の第５の実施形態に係る、商業情報案内放送発生システムを用いた商業情報案内放送を発生するための手順を示す図である。
【００６７】
第５の実施形態はさらに、上記発信電話機が上記発信交換システムに発呼するとき（８１）、初期アドレスメッセージ（ＩＡＭ）を送出することにより上記発信交換システムから上記商業情報案内放送発生システムへ接続を要求し（８２）、上記商業情報案内放送発生システムからアドレス完了メッセージ（ＡＣＭ）を送出することにより上記発信交換システムへの接続を確認し（８３）、有料の案内放送方式のときに、上記商業情報案内放送発生システムから応答メッセージ（ＡＮＭ）を送出することにより上記発信交換システムへの着信接続に応答する（８３−１）ステップを含む。
【００６８】
この方法はさらに、上記商業情報案内放送発生システムから上記発信電話機へ上記商業情報案内放送（広告、音楽、ニュース、株式、天気、占い等）を送出し、所定の第２の時間（Ｂ−タイムアウト）が経過した後、上記通信接続を失敗したとき、上記商業情報案内放送の送出を中止する（８４）ステップを含む。
【００６９】
この方法はさらに、上記商業情報案内放送の送出の開始から、所定の第１の時間（Ａ−タイムアウト）が経過した後、初期アドレスメッセージ（ＩＡＭ）を送出することにより上記商業情報案内放送発生システムから上記着信交換システム又は自動応答応用システム（ＡＲＳ、ＶＭＳなど）に対して接続を要求し（８５）、上記着信交換システムからアドレス完了メッセージ（ＡＣＭ）を送出することにより商業情報案内放送発生システムへの接続を確認し（８６）、上記着信電話機を鳴動させた（８７）後、上記着信交換システム又は上記自動応答応用システムから上記商業情報案内放送発生システムに対してコールプログレスメッセージ（ＣＰＧ）を送出し（８８）、着信者が上記着信電話機を用いて呼を受信したとき（８９）、上記着信交換システム又は上記自動応答応用システムから上記商業情報案内放送発生システムへの着信接続に応答する（９０）ステップを含む。
【００７０】
この方法はさらに、無料の案内放送方式のときに、上記商業情報案内放送を中止しかつ応答メッセージを送出することにより上記商業情報案内放送発生システムから上記発信交換システムへの着信接続に応答し（９１）、有料の案内放送方式のときに、上記商業情報案内放送の送出を中止する（９１−１）ステップを含む。
【００７１】
この方法はさらに、上記発信電話機と上記着信電話機との間に通信回線を接続する（９２）ステップを含む。
【００７２】
この方法はさらに、上記発信電話機が上記発信交換システムからの回線接続を切断すると（９３）、切断メッセージ（ＲＥＬ）を送出することにより上記発信交換システムから上記商業情報案内放送発生システムへの回線接続の切断を要求し（９４）、切断完了メッセージ（ＲＬＣ）を送出することにより上記商業情報案内放送発生システムから上記発信交換システムへの回線接続の切断を確認する（９５）ステップを含む。
【００７３】
この方法はさらに、商業情報案内放送発生システムから切断メッセージ（ＲＥＬ）を送出することにより上記着信交換システム又は上記自動応答応用システムへの回線接続の切断を要求し（９６）、切断完了メッセージ（ＲＬＣ）を送出することにより上記着信交換システムから上記商業情報案内放送発生システムへの回線接続の切断を確認し（９７）、上記着信交換システム又は上記自動応答応用システムから上記着信電話機との回線接続を切断することにより上記通信を終了させる（９８）ステップを含む。
【００７４】
図１４は、自動応答応用システムの商業情報案内放送発生システムを用いたシステム間の接続を示す構成図である。自動応答応用システムはＡＲＳ（自動応答システム）、ＶＩＳＳ（音声情報サービスシステム）、ＰＰＳ（プリペイドシステム）などを含む。商業情報案内放送は、広告、音楽、ニュース、株式、天気等を含む。
【００７５】
図１５は、本発明の第６の実施形態に係る、自動応答応用システムの商業情報案内放送発生装置を用いた商業情報案内放送を発生するための手順を示す図である。
【００７６】
図１５を参照すると、上記商業情報案内放送は、上記音声／文字／画像商業情報案内放送発生装置と自動応答応用装置を含む自動応答応用システムの商業情報案内放送発生装置を用いて発生される。
【００７７】
第６の実施形態は、上記発信電話機が上記発信交換システムに対して発呼するとき初期アドレスメッセージ（ＩＡＭ）を送出することにより上記発信交換システムから上記自動応答応用システムへの接続（１０２）を要求し、上記自動応答応用システムからアドレス完了メッセージ（ＡＣＭ）を送出することにより上記発信交換システムへの接続を確認し（１０３）、上記発信交換システムから上記自動応答応用システムに接続を要求し（１０４）、上記商業情報案内放送発生装置から上記自動応答応用システムへの接続を応答し（１０５）、有料の案内放送方式のときに、上記自動応答システムから応答メッセージを送出することにより上記発信交換システムへの着信接続に応答する（１０５−１）ステップを含む。
【００７８】
この方法はさらに、上記商業情報案内放送発生装置から上記発信電話機に対して上記商業情報案内放送を送信し（１０６）、所定の第１の時間（Ａ−タイムアウト）が経過した後、上記商業情報案内放送送出の中止を要求する（１０７）ステップを含む。
【００７９】
この方法はさらに、上記自動応答応用システムから上記自動応答応用装置への接続を要求し（１０８）、上記自動応答応用装置から上記自動応答応用システムへの接続を応答し（１０９）、無料の案内放送方式のときに、上記自動応答応用システムから応答メッセージ（ＡＮＭ）を送出することにより上記発信交換システムへの着信接続に応答する（１０９−１）ステップを含む。
【００８０】
この方法はさらに、上記発信電話機と上記自動応答応用装置との間に通信回線を接続する（１１０）ステップを含む。
【００８１】
この方法はさらに、上記発信電話機が上記発信交換システムから回線接続を切断したとき（１１１）、切断メッセージ（ＲＥＬ）を送出することにより上記発信交換システムから上記自動応答応用システムに対して切断を要求し（１１２）、切断完了メッセージ（ＲＬＣ）を送出することにより上記自動応答応用システムから上記発信交換システムに対して切断を確認し（１１３）、上記自動応答応用システムから上記自動応答応用装置への回線接続を切断する（１１４）ステップを含む。
【００８２】
図１６は、知能網上において上記商業情報リングバックトーン発生システムを用いたシステム間の接続を示す構成図である。
【００８３】
図１７は、本発明の第７の実施形態に係る、知能網上において商業情報リングバックトーン発生システムを用いた商業情報リングバックトーンを発生するための手順を示す図である。
【００８４】
第７の実施形態は、上記発信電話機から上記発信交換システムに対して発呼し（１２０）、上記発信交換システムから初期アドレスメッセージ（ＩＡＭ）を送出することによりサービス交換ポイント（ＳＳＰ）に対してサービスの接続を要求し（１２１）、上記サービス交換ポイント（ＳＳＰ）から上記サービス制御ポイント（ＳＣＰ）に対して分析された情報を要求し（１２２）、上記サービス交換ポイント（ＳＣＰ）から商業情報リングバックトーン発生システムに対してリソース占有を要求し（１２３）、上記商業情報リングバックトーン発生システムから上記サービス制御ポイントに対してリソース占有に応答し（１２４）、上記サービス交換ポイントから上記サービス交換ポイントに対してリソース接続を要求し（１２５）、上記サービス交換ポイントから初期アドレスメッセージ（ＩＡＭ）を送出することにより上記商業情報リングバックトーン発生システムへの接続を要求する（１２６）ステップを含む。
【００８５】
この方法はさらに、アドレス完了メッセージ（ＡＣＭ）を送出することにより上記商業情報リングバックトーン発生システムから上記サービス交換ポイントを介して上記発信交換システムへの接続を確認し（１２７）、有料のリングバックトーン方式のときに上記サービス交換ポイントから応答メッセージを送出することにより上記発信交換システムへの着信接続に応答する（１２７−１）ステップを含む。
【００８６】
この方法はさらに、上記商業情報リングバックトーン発生システムから上記発信電話機に対して上記商業情報リングバックトーン（広告、音楽、ニュース、株式、天気、占い等）を送出する（１２８）ステップを含む。
【００８７】
この方法はさらに、上記商業情報リングバックトーンの送出の開始から、所定の第１の時間（Ａ−タイムアウト）が経過した後、サービス制御ポイントからサービス交換ポイントに対して、分析された情報を含む応答を返信し、サービス交換ポイントから初期アドレスメッセージを送出することにより上記着信交換システムへの接続を要求し（１２９）、上記サービス交換ポイントから初期アドレスメッセージを送出することにより上記着信交換システムへの接続を要求し（１３０）、上記着信交換機からアドレス完了メッセージ（ＡＣＭ）を送出することにより上記サービス交換ポイントへの接続を確認し（１３１）、上記着信交換システムによって上記着信電話機を鳴動させ（１３２）、上記着信交換システムから上記サービス交換ポイントに対してコールプログレスメッセージ（ＣＰＧ）を送出する（１３３）ステップを含む。着信者が上記着信電話機を用いて呼を受信すると（１３４）、この方法は、上記着信交換システムから応答メッセージ（ＡＮＭ）を送出することにより上記サービス交換ポイントへの着信接続（１３５）に応答し、上記サービス交換ポイントから上記商業情報リングバックトーン発生システムに対して切断メッセージ（ＲＥＬ）を送出することにより上記商業情報リングバックトーンの送出を中止するステップを含む。
【００８８】
この方法はさらに、無料のリングバックトーン方式のときに、上記サービス交換ポイントから応答メッセージ（ＡＮＭ）を送出することにより上記発信交換システムへの着信接続に応答する（１３７）ステップを含む。
【００８９】
この方法はさらに、上記発信電話機と上記着信電話機との間に通信回線を接続する（１３８）ステップを含む。
【００９０】
この方法はさらに、上記発信電話機が上記発信交換システムから切断されると（１３９）、切断メッセージ（ＲＥＬ）を送出することにより発信交換システムからサービス交換ポイントへの回線接続の切断（１４０）を要求し、切断完了メッセージ（ＲＬＣ）を送出することにより上記サービス交換ポイントから上記発信交換システムへの回線接続の切断を確認する（１４１）ステップを含む。
【００９１】
この方法はさらに、切断メッセージ（ＲＥＬ）を送出することにより上記サービス交換ポイントから上記着信交換システムへの回線接続の切断を要求し
（１４２）、切断完了メッセージ（ＲＬＣ）を送出することにより上記着信交換システムから上記サービス交換ポイントへの回線接続の切断を確認し（１４３）、上記着信交換機から上記着信電話機を切断することにより上記通信を終了させる（１４４）ステップを含む。
【００９２】
上記ＳＳＰは端局交換機として用いられるときに、それは、局間信号方式（Ｎｏ．７，ＩＳＵＰ、Ｒ２ＭＦＣなど）を用いて音声通信交換装置とともに動作し、もしくは、上記ＳＳＰがローカル交換機として用いられるときに、それは、ＩＰＣ（プロセス間通信）を用いて音声通信交換装置とともに動作する。
【００９３】
図１８は、知能網上においてＩＰ（インテリジェント周辺装置）における商業情報リングバックトーン発生装置を用いたシステム間の接続を示す構成図である。
【００９４】
図１９は、本発明の第８の実施形態に係る、知能網においてＩＰの商業情報リングバックトーン発生装置を用いて商業情報リングバックトーンを発生するための手順を示す図である。
【００９５】
第８の実施形態は、発信電話機を発信交換機に接続し（１６０）、上記発信交換機から初期アドレスメッセージ（ＩＡＭ）を送出することによりサービス交換ポイントへの接続を要求し（１６１）、上記サービス交換ポイント（ＳＳＰ）から上記サービス制御ポイント（ＳＣＰ）に対して分析された情報を要求し（１６２）、上記サービス制御ポイントから上記インテリジェント周辺装置に対してリソース占有を要求し（１６３）、上記インテリジェント周辺装置から上記サービス制御ポイントに対してリソース占有に応答し（１６４）、上記サービス制御ポイントから上記サービス交換ポイントに対してリソース接続を要求し（１６５）、上記サービス交換ポイントから初期アドレスメッセージ（ＩＡＭ）を送出することにより上記インテリジェント周辺装置への接続を要求する（１６６）ステップを含む。
【００９６】
この方法はさらに、アドレス完了メッセージ（ＡＣＭ）を送出することにより上記インテリジェント周辺装置から上記サービス交換ポイントを介して上記発信交換システムへの接続を確認し（１６７）、有料のリングバックトーン方式のときに、上記サービス交換ポイントから応答メッセージ（ＡＮＭ）を送出することにより上記発信交換機への着信接続に応答する（１６７−１）ステップを含む。
【００９７】
この方法はさらに、上記商業情報リングバックトーン発生システムから上記発信電話機に対して上記商業情報リングバックトーンを送信する（１６８）ステップを含む。
【００９８】
この方法はさらに、上記商業情報リングバックトーンの送出の開始から、所定の第１の時間（Ａ−タイムアウト）が経過した後、上記着信電話機に対して、分析された情報を含む応答を返信し（１６９）、上記サービス交換ポイントから初期アドレスメッセージを送出することにより上記着信交換システムへの接続を要求し（１７０）、上記着信交換システムからアドレス完了メッセージを送出することにより上記サービス交換ポイントへの接続を確認し（１７１）、上記着信交換システムによって上記着信電話機を鳴動させ（１７２）、上記着信交換システムから上記サービス交換ポイントに対してコールプログレスメッセージを送出する（１７３）ステップを含む。着信者が上記着信電話機を動作させるとき（１７４）、この方法は、応答メッセージを送出することにより上記着信交換システムから上記サービス交換ポイントへの着信接続に応答し（１７５）、上記サービス交換ポイントからインテリジェント周辺装置に対して切断メッセージを送出することにより上記商業情報リングバックトーンの送出を中止する（１７６）ステップを含む。
【００９９】
この方法はさらに、無料のリングバックトーン方式のときに、上記サービス交換ポイントから応答メッセージを送出することにより上記発信交換システムへの着信接続に応答する（１７７）ステップを含む。
【０１００】
この方法はさらに、上記発信電話機と上記着信電話機との間に通信回線を接続する（１７８）ステップとを含む。
【０１０１】
この方法はさらに、上記発信電話機が上記発信交換システムから回線切断されると（１７９）、切断メッセージ（ＲＥＬ）を送出することにより上記発信交換システムからサービス交換ポイントへの切断を要求し（１８０）、切断完了メッセージ（ＲＬＣ）を送出することにより上記サービス交換ポイントから上記発信交換システムへの切断を確認する（１８１）ステップを含む。
【０１０２】
この方法はさらに、切断メッセージ（ＲＥＬ）を送出することにより上記サービス交換ポイントから上記着信交換システムへの切断を要求し（１８２）、切断完了メッセージ（ＲＬＣ）を送出することにより上記着信交換システムから上記サービス交換ポイントへの切断を確認し（１８３）、上記着信交換システムから上記着信電話機の回線接続を切断することにより上記通信を終了させる（１８４）ステップを含む。
【０１０３】
本発明は、局間信号方式の中で、Ｎｏ．７  ＩＳＵＰ（ＩＳＤＮ  Ｕｓｅｒ  Ｐａｒｔ）を用いて説明しているが、例えばＲ２ＭＦＣ、Ｘ．２５、ＴＣＰ／ＩＰ、ＩＰＣなど（図５ａ、図５ｂ、図７、図９ａ、図９ｂ、図１１、図１３、図１５、図１７、図１９）種々の信号方式を利用することができる。
【０１０４】
この発明は、加入者に対してリングバックトーンの代わりに商業広告などを聞かせて、任意の種類の料金の割引を提供する。これにより、通信の待機中において上記交換システムからたいくつなリングバックトーンの代わりに、加入者に対して音楽、音楽的な広告、ニュース、株式情報を聞かすことができる。
【０１０５】
一般に、発信者が通常の電話機又は移動体電話機によって通信ネットワークを介して着信者と通信を行うことができる。このとき、リングバックトーンの代わりに、例えば広告、音楽、株式情報などの商業情報を発生させ、このときから開始して呼び出し信号が着信者に到達するときまで発生させる。
【０１０６】
最近、有線電話機、コードレス電話機、ＡＲＳ、ＶＭＳ、ＶＩＳＳ及びＰＰＳなどの補助的なサービス、及び電話番号案内サービスは有料の通信の種類に属する。しかしながら、本発明を適用すれば、料金表における通信料金の割引や無料化を上記加入者に対して与えることができる。
【０１０７】
一方、通信管理事業者の側において、広告主から広告費を貰い、例えばニュース、株式評価、音楽などの有料の商業情報を提供することができ、これにより、補助的な利益を得ることができ、通信料金を減額することにより使用者、通信事業者、広告主のいずれにも利益を生み出すことができる。
【０１０８】
本発明に係る商業情報の提供方法は、通常の電話機、案内電話機、画像電話機、移動体電話機、インターネット電話機、衛星電話機などの間の通信に対して適用することができ、ＶＭＳ、ＶＩＳＳ、ＰＰＳ（プリペイドサービス）などの補助的なサービスに対して適用することができる。
【０１０９】
特に、案内サービスの場合において、上記発信者がカウンセラーに接続される前に、商業情報を音楽と共に聞くときに待機することができる。
【０１１０】
ＶＭＳ（音声メーリングサービス）の場合において、加入者は料金を支払うことなしに音声メールボックスを介して音声を得ることができる。
【０１１１】
通信接続方法は、通常の電話番号に発呼する方法と、予め登録された加入者によって通常の電話番号に発呼する方法と、特別な電話番号に発呼する方法とを含み、商業情報リングバックトーンを発生するためのシステム構成は、交換機に内蔵された装置と、交換機の外側に設けられたシステムと、知能網の方式とを含み、上記商業情報リングバックトーン発生装置、上記商業情報リングバックトーン発生システム、及び交換システムを接続するためのプロトコルは、Ｎｏ．７  ＩＳＵＰ、Ｒ２ＭＦＣ、ＩＰＣ、Ｘ．２５、ＴＣＰ／ＩＰを含み、加入者の情報は、性別、年齢別、地域別、時間帯別、所得別に分類される。
【０１１２】
本発明について実施例の方法を用いて説明したが、用いられる専門用語は限定的に用いるものではなく、詳細な説明の本質を説明するために用いることが意図されている。本発明の多くの変形例や修正が上記の教えを考慮すれば可能である。従って、添付された特許請求の範囲内において、本発明は特に説明された以外にも実施してもよいことが理解されるであろう。
【図面の簡単な説明】
【０１１３】
【図１】音声/文字/画像商業情報リングバックトーンサービスを提供するシステムのブロック図である。
【図２】本発明に係る通信待機時、電話音声/文字/画像商業情報の提供方法を示したフローチャートである。
【図３】本発明に係る通信待機時、電話音声/文字/画像商業情報を提供した後、元のリングバックトーンを発生するための方法を示したフローチャートである。
【図４】交換機、ＰＡＢＸなどの発信交換システムにおいて商業情報リングバックトーン発生システムを用いたシステム間の接続構成図である。
【図５ａ】本発明の第１の実施形態に係る発信交換システムにおいて商業情報リングバックトーン発生システムを市外交換局として用いたときの商業情報リングバックトーン発生手順を示す図である。
【図５ｂ】本発明の第１の実施形態に係る発信交換システムにおいて商業情報リングバックトーン発生システムを端局として用いたときの商業情報リングバックトーン発生手順を示す図である。
【図６】発信交換システムにおいて商業情報リングバックトーン発生システムを用いたシステム間の接続構成図である。
【図７】本発明の第２の実施形態に係る発信交換システムにおける商業情報リングバックトーン発生装置による商業情報リングバックトーン発生手順を示す図である。
【図８】着信交換システムにおいて商業情報リングバックトーン発生システムを用いたシステム間の接続構成図である。
【図９ａ】本発明の第３の実施形態に係る着信交換システムにおいて商業情報リングバックトーン発生システムを市外交換局として利用したときの商業情報リングバックトーン発生手順を示す図である。
【図９ｂ】本発明の第３の実施形態に係る着信交換システムにおいて商業情報リングバックトーン発生システムを端局として用いたときの商業情報リングバックトーン発生手順を示す図である。
【図１０】着信交換システムにおいて商業情報リングバックトーン発生装置を用いたシステム接続構成図である。
【図１１】本発明の第４の実施形態に係る着信交換システムにおいて商業情報リングバックトーン発生装置を用いた商業情報リングバックトーン発生手順を示す図である。
【図１２】商業情報案内放送発生システムを用いたシステム間の接続構成図である。
【図１３】本発明の第５の実施形態に係る商業情報案内放送発生システムを用いた商業情報案内放送発生手順を示す図である。
【図１４】ARS、VMS、VISＳ（音声情報サービスシステム）、ＰＰＳ（プリペイドシステム）等の自動応答応用システムの商業情報放送案内発生装置を用いたシステム間の接続構成図である。
【図１５】本発明の第６の実施形態に係る自動応答応用システムの商業情報案内放送発生装置を用いた商業情報案内放送発生手順を示す図である。
【図１６】知能網において商業情報リングバックトーン発生システムを用いたシステム間の接続構成図である。
【図１７】本発明の第７の実施形態に係る知能網において商業情報リングバックトーン発生システムを用いた商業情報リングバックトーン発生手順を示す図である。
【図１８】知能網においてインテリジェント周辺装置である商業情報リングバックトーン発生装置を用いたシステム間の接続構成図である。
【図１９】本発明の第８の実施形態に係る知能網においてインテリジェント周辺装置である商業情報リングバックトーン発生装置を用いた商業情報リングバックトーン発生手順を示す図である。
【符号の説明】
【０１１４】
１…発信電話機、
２…加入者通信回線、
３…音声／文字／画像商業情報リングバックトーン発生装置、
４…着信電話機、
５…中継通信回線、
６…音声／文字／画像商業情報リングバックトーン発生システム、
７…商業情報提供サーバ、
８…加入者の身元情報提供サーバ、
９…電話局内の交換システム。
【図１】
2006254512.tif 000003
【図２】
2006254512.tif 000004
【図３】
2006254512.tif 000005
【図４】
2006254512.tif 000006
【図５ａ】
2006254512.tif 000007
【図５ｂ】
2006254512.tif 000008
【図６】
2006254512.tif 000009
【図７】
2006254512.tif 000010
【図８】
2006254512.tif 000011
【図９ａ】
2006254512.tif 000012
【図９ｂ】
2006254512.tif 000013
【図１０】
2006254512.tif 000014
【図１１】
2006254512.tif 000015
【図１２】
2006254512.tif 000016
【図１３】
2006254512.tif 000017
【図１４】
2006254512.tif 000018
【図１５】
2006254512.tif 000019
【図１６】
2006254512.tif 000020
【図１７】
2006254512.tif 000021
【図１８】
2006254512.tif 000022
【図１９】
2006254512.tif 000023